(57)【要約】【課題】健常者にとっては開錠が容易に可能であるが、操作されると困る痴呆症患者等にとっては開錠することが困難なロック装置を提供すること。【解決手段】ロック装置１の表示部１９にパターンを一定時間表示し、利用者が入力部２１に、表示したパターンと等しいパターンが入力できれば、電磁弁７を開き、ガスコンロ９の鍵を開錠状態とする。ロック装置１のＣＰＵ１１は、ガスコンロ９の鍵が開錠状態となってからの経過時間を監視し、所定時間が経過すると電磁弁７を閉じ、ガスコンロ９の鍵を閉錠状態とする。【選択図】　図１
2004068538.tif 000002
【特許請求の範囲】
【請求項１】
所定のパターンを所定時間出力する出力手段と、
パターンを入力する入力手段と、
前記入力手段から入力されたパターンが、前記所定のパターンと一致するか否かを判定する判定手段と、
前記判定手段が一致すると判定した場合、ロックを解除する解除手段と、
を具備することを特徴とするロック装置。
【請求項２】
前記パターンは、数字、または図形であることを特徴とする請求項１記載のロック装置。
【請求項３】
前記出力手段は、所定のパターンを表示する表示手段であることを特徴とする請求項１記載のロック装置。
【請求項４】
前記出力手段は、所定のパターンの全部または一部を発光、または、変色して表示する表示手段であることを特徴とする請求項１記載のロック装置。
【請求項５】
前記出力手段は、所定のパターンの全部または一部を時系列的に、発光、または、変色して表示する表示手段であることを特徴とする請求項１記載のロック装置。
【請求項６】
前記出力手段は、所定のパターンを音声で出力する音声出力手段であることを特徴とする請求項１記載のロック装置。
【請求項７】
前記出力手段は、点字を出力することを特徴とする請求項１記載のロック装置。
【請求項８】
前記解除手段は、前記出力手段から出力されるパターンの複雑さ、または、前記入力手段から入力されるパターンの正確さに応じて、解除の困難さを調整することを特徴とする請求項１記載のロック装置。
【請求項９】
連続して解除された場合、前記出力手段が出力するパターンを複雑にする手段を、
更に具備することを特徴とする請求項１記載のロック装置。
【請求項１０】
連続して解除された場合、前記判定手段の一致の正確さを厳しくする手段を、
更に具備することを特徴とする請求項１記載のロック装置。
【発明の詳細な説明】
【０００１】
【発明の属する技術分野】
本発明は、ロック装置に関するものであり、特に、痴呆症患者の瞬時記憶能力低下を利用した鍵部を、ガスコンロ、裸火ストーブ、自動車、機械装置等に取り付けたロック装置に関する。
【０００２】
【従来の技術】
ガスコンロ、裸火ストーブ、自動車、機械装置等の鍵として、チャイルドロック等のセーフティーロック機構がある。あるいは、通常の鍵と錠や、指紋認証等の身体的特徴を利用したバイオミメディクスを利用したロック機構がある。
【０００３】
【発明が解決しようとする課題】
しかしながら、前者の装置では、単純に鍵を二重にかけているに過ぎず、痴呆症患者や酩酊者などのように機械装置等を利用してほしくない場合でも、基本的なセーフティーロック機構の解除を実行してしまうということが起きてしまう。
【０００４】
後者の装置では、鍵を持っていない健常者や、バイオミメディクスに身体的特徴を登録していない健常者が、機械装置を利用することができないという不便さがある。
【０００５】
本発明は、このような問題に鑑みてなされたもので、その目的とするところは、健常者にとっては開錠が容易に可能であるが、操作されると困る痴呆症患者や酩酊者等にとっては開錠することが困難なロック装置を提供することである。
【０００６】
【課題を解決するための手段】
前述した目的を達成するために、本発明は、所定のパターンを所定時間出力する出力手段と、パターンを入力する入力手段と、前記入力手段から入力されたパターンが、前記所定のパターンと一致するか否かを判定する判定手段と、前記判定手段が一致すると判定した場合、ロックを解除する解除手段と、を具備することを特徴とするロック装置である。
【０００７】
パターンは、数字、または図形等で、出力手段は所定のパターンの全部または一部を発光または変色して表示したり、所定のパターンの全部または一部を時系列的に発光または変色して表示する。
【０００８】
あるいは、出力手段は所定のパターンを音声で出力したり、点字で出力するようにしてもよい。
【０００９】
【発明の実施の形態】
以下、図面に基づいて本発明の実施の形態を詳細に説明する。図１は、本発明の１実施の形態に係るロック装置１の概略構成図、図２は、ロック装置１の構成を示す図、図３は、表示部１９の表示の１例の平面図、図４は、入力部２１の１例の平面図である。
【００１０】
図１に示すように、本発明に係るロック装置１は、ヒューズコック５とガスコンロ９の間に設置された電磁弁７に接続されている。電磁弁７は、ガスコンロ９のような器具個別に設置しても、メータ３に内蔵するように設置してもよい。電磁弁７は、ロック装置１によって開閉され、通常時は閉じている。
【００１１】
ロック装置１は、表示したパターンと同一のパターンを、利用者が許容時間内に入力できれば、その利用者は瞬時記憶能力がある健常者であると判定し、電磁弁７を開き、利用者はガスコンロ９を使用できる。利用者がパターンを入力するための許容時間は、痴呆症患者の症状に合わせて変更できるようにしてもよい。
【００１２】
図２に示すように、ロック装置１は全体を制御するＣＰＵ１１を持つ。ＣＰＵ１１には、メモリ１３、電磁弁駆動部１５、乱数作成部１７、表示部１９、入力部２１が接続されている。電磁弁駆動部１５は、電磁弁７に接続されている。
【００１３】
メモリ１３には、ＣＰＵ１１が制御を行うのに必要となるプログラムやデータ、表示部１９に表示するパターン等が記憶される。
【００１４】
乱数作成部１７は、表示部１９が表示する数字パターンを作成する。この数字パターンは５桁程度で、毎回異なり、ランダムであることが望ましい。また、表示部１９に表示する数字パターンの長さや、表示する時間は、痴呆症患者の症状に合わせて変更できるようにしてもよい。
【００１５】
表示部１９は、乱数作成部１７が作成した数字パターンを一定時間表示する。図３に示すように、表示部１９は６桁の表示セグメントからなり、６桁程度の数字パターンを一定時間表示する。あるいは、表示部１９を一つの表示セグメントで構成し、複数の数字を時系列的に表示してもよい。
【００１６】
入力部２１は、利用者が数字パターン等を入力するものである。図４に示すように、入力部２１は、０〜９の数字を入力するテンキー２７、利用者がガスコンロ９を使用とするときに押すスタートキー２３、数字パターンの入力終了後に押すエンターキー２５等を持つ。
【００１７】
電磁弁駆動部１５は、ＣＰＵ１１の入力パターン判定に従って電磁弁７を開錠状態とする。また電磁弁７の開栓後、所定時間が経過すると、ＣＰＵ１１の指示に従って電磁弁駆動部１５は電磁弁７を閉錠状態とする。
【００１８】
ロック装置１をメータ３に接続し、電磁弁７の開栓後、ガスの流量を監視して、流量が止まったときに電磁弁７を閉錠するというようにしてもよい。
【００１９】
次に、図５を参照しながら、本発明に係るロック装置１の動作を説明する。図５は、本発明に係るロック装置１の動作を示すフローチャートである。
【００２０】
ロック装置１のＣＰＵ１１は、入力部２１への入力を監視し、利用者によりスタートキー２３が押されたかどうかを判定する（ステップ１０１）。ここで利用者とは、痴呆症患者や健常者等である。
【００２１】
ＣＰＵ１１がスタートキー２３が押されたと判定すると、乱数作成部１７は、システム管理者（例えば健常者）が予め定義した桁数の数字パターンを作成し、メモリ１３に作成した数字パターンを保存する。表示部１９は、作成した数字パターンを一定時間表示する（ステップ１０２）。表示部１９に数字パターンを表示する時間は、システム管理者が予め定義する。数字パターンの表示は、既定桁数を同時に表示してもよいし、数字パターンを１桁ずつ、時系列的に表示してもよい。
【００２２】
ＣＰＵ１１は、入力許容時間内に入力部２１のテンキー２７から数字が入力され、エンターキー２５が押されたかを判定する（ステップ１０３）。予め定義した入力許容時間の間にエンターキー２５が押されなかった場合、利用者は瞬時記憶能力がないと判断し、ガスコンロ９の鍵の開錠は行わず、動作を終了する。
【００２３】
ＣＰＵ１１は、入力部２１で入力された数字パターンと、乱数作成部１７が作成した数字パターンが等しいかどうか判定する（ステップ１０４）。等しくない場合、利用者は瞬時記憶能力がないと判断し、ガスコンロ９の鍵の開錠は行わず、動作を終了する。
【００２４】
入力部２１で入力された数字パターンと、乱数作成部１７で作成した数字パターンが等しいと判定した場合、電磁弁駆動部１５は電磁弁７を開き、ガスコンロ９の鍵を開錠状態とする（ステップ１０５）。
ステップ１０４、１０５では、完全一致の場合のみ開錠するとしてもよいし、部分一致でしきい値を上回れば開錠としてもよい。また、開錠の困難さは、パターンの複雑さか、再現したパターンの正確さで調整するようにしてもよい。
【００２５】
ガスコンロ９の鍵が開錠状態となった後、ＣＰＵ１１は、所定の時間が経過したかどうか判定する（ステップ１０６）。所定の時間が経過したと判定すると、電磁弁駆動部１５は電磁弁７を閉じ、ガスコンロ９の鍵を閉錠状態とする（ステップ１０７）。あるいは、メータ３のガス流量を常に監視し、ガス流量が止まったら電磁弁駆動部１５が電磁弁７を閉じ、ガスコンロ９の鍵を閉錠状態とするというようにしてもよい。
【００２６】
本実施形態によれば、痴呆症患者等は瞬時記憶力がないのでロック装置を開くことができず、ガスコンロを利用することが非常に困難となり、危険な操作を防止することが可能となる。利用者を予め登録する必要はなく、利用者がそれぞれ鍵を持つ必要もない。
【００２７】
また、ロック装置による鍵を日常的に利用することにより、痴呆症患者のトレーニングとなり、痴呆症状の緩和にも副次的に利用できる可能性がある。
【００２８】
さらに、痴呆症患者だけでなく、子供がいたずら操作をすることを防止することもできる。
【００２９】
以上、添付図面を参照しながら本発明に係るロック装置の好適な実施形態について説明したが、本発明に係る例に限定されない。当業者であれば、特許請求の範囲に記載された技術的思想の範疇において各種の変更例または修正例に想到し得ることは明らかであり、それらについても当然に本発明の技術的範囲に属するものと了解される。
【００３０】
例えば、前述した実施の形態では、ロック装置がガスコンロの電磁弁の開閉を制御していたが、ロック装置はガスコンロだけでなく、裸火ストーブや自動車、機械装置等にも利用することができる。
【００３１】
また、表示装置に表示されるパターンは、数字だけなく図形等と用いてもよい。何種類かの図形等の全部または一部が発光・変色してパターンを構成してもよいし、あるいは、何種類かの図形等の全部または一部が時系列的に発光・変色してパターンを構成するようにしてもよい。
【００３２】
また、モールス信号のように時間リズムでパターンを構成するようにしてもよい。あるいは、目が不自由な方向けに、点字を用いたパターンを構成してもよいし、音声で単語を提示し、利用者がその単語を繰り返して言うという方法でもよい。
【００３３】
また、連続して解除された場合、ステップ１０２で表示される乱数を複雑にしてもよい。また、連続して解除された場合、ステップ１０４の一致の正確さを厳しくするようにしてもよい。
【００３４】
【発明の効果】
以上、説明したように本発明によれば、健常者にとっては開錠が容易に可能であるが、操作されると困る痴呆症患者等にとっては開錠することが困難なロック装置を提供することができる。
【図面の簡単な説明】
【図１】ロック装置１の概略構成図
【図２】ロック装置１の構成を示す図
【図３】表示部１９の表示の１例の平面図
【図４】入力部２１の１例の平面図
【図５】ロック装置１の動作を示すフローチャート
【符号の説明】
１　ロック装置
３　メータ
５　ヒューズコック
７　電磁弁
９　ガスコンロ
１１　ＣＰＵ
１３　メモリ
１５　電磁弁駆動部
１７　乱数作成部
１９　表示部
２１　入力部
【図１】
2004068538.tif 000003
【図２】
2004068538.tif 000004
【図３】
2004068538.tif 000005
【図４】
2004068538.tif 000006
【図５】
2004068538.tif 000007